(57)【特許請求の範囲】
【請求項１】
シート状の材料を含み大腿部および下腿部の少なくともいずれか一方を覆うようにして
下肢に固定される本体と、上記本体に取り付けられ、大腿直筋の下部および腓腹筋の下部の少なくともいずれか一方を圧迫する圧迫手段とから構成され、
上記圧迫手段の少なくとも一端が前記本体に着脱可能な自由端となっており、上記大腿部および上記下腿部における圧迫圧力が、９０〜２００ｈＰａであることを特徴とする運動用装具。
【請求項２】
上記圧迫手段として、上記大腿部および／または上記下腿部に巻き付けられ上記大腿直筋の下部および／または上記腓腹筋の下部の筋肉を圧迫する圧迫ベルトを含む請求項１に記載の運動用装具。
【請求項３】
上記圧迫ベルトは、上記大腿直筋および／または上記腓腹筋に接続されている筋腱移行部も圧迫するように構成されている請求項２に記載の運動用装具。
【請求項４】
上記圧迫ベルトは、大腿部前面から大腿部背面に向けて先上がり、または下腿部背面から下腿部前面に向けて先上がりに傾斜した状態で巻き付けられる請求項２又は３に記載の運動用装具。
【請求項５】
上記圧迫ベルトの巻き付け位置よりも上方の上記本体に、上記大腿部または上記下腿部に巻き付けるための上部固定ベルトが備えられている請求項２〜４のいずれか１項に記載の運動用装具。
【請求項６】
上記圧迫ベルトの巻き付け位置よりも下方の上記本体に、上記大腿部または上記下腿部に巻き付けるための下部固定ベルトが備えられている請求項２〜５のいずれか１項に記載の運動用装具。
【請求項７】
上記圧迫ベルトが面ファスナーによって上記本体に固定されるように構成されている請求項２〜６のいずれか１項に記載の運動用装具。
【請求項８】
上記圧迫手段として、上記大腿直筋の下部および上記腓腹筋の下部の少なくともいずれか一方を圧迫する圧迫補助具を有する請求項１に記載の運動用装具。
【請求項９】
上記本体に上記圧迫補助具を収容するためのポケットが備えられている請求項８に記載の運動用装具。
【請求項１０】
上記圧迫補助具がくさび状部材から構成されている請求項９に記載の運動用装具。
【請求項１１】
上記圧迫補助具が樹脂または発泡性樹脂を成形したものから構成される請求項８〜１０のいずれか１項に記載の運動用装具。
【発明の詳細な説明】
【技術分野】
【０００１】
本発明は、下肢に装着して運動時における骨格筋の運動出力を高める運動用装具に関するものである。
【背景技術】
【０００２】
従来、筋肉自体の増強を図る方法として加圧筋肉増強方法が知られている。
【０００３】
図１９および２０は、その加圧筋肉増強方法を実施するため加圧筋肉増強用衣服（以下、加圧衣服と略称する）を示したものである。
【０００４】
図１９において、加圧衣服１００は、ベルト通しを備えた衣服本体１０１と、ベルト１０２とから構成されている。
【０００５】
上記ベルト１０２は、下肢の基端部を締め付けるべくその背後から大腿部を一周するようにベルト通しに通され、ベルト１０２の一方端１０２ａを、ベルト１０２の他方端に備えられているバックル１０３の第一孔１０３ａに通し、矢印Ａ方向に折り返すようになっている。
【０００６】
次いで、ベルト１０２の一方端１０２ａを引っ張り、ベルト１０２によって形成された輪の長さを縮めることで、ベルト１０２が衣服本体１０１内側の使用者の脚の基端部を締め付けるようになる。
【０００７】
次いで、図２０に示すように、ベルト１０２の一方端１０２ａを引っ張る強さを調節し、脚の筋肉に与えられる締め付け力を調節する。ベルト１０２が作る輪の長さが一定に保たれることにより、脚の筋肉に与えられる締め付け力は一定に保たれ、この状態で運動を行えば加圧筋肉増強方法が実行される（例えば、特許文献１参照）。
【先行技術文献】
【特許文献】
【０００８】
【特許文献１】特許第４３６１２８２号公報
【発明の概要】
【発明が解決しようとする課題】
【０００９】
しかしながら、従来の加圧筋肉増強方法は、増強を図ろうとする筋肉に対してその筋肉に近接する、心臓に近い上位部位に対し、血流を阻害させるような締め付け力を与え、血流障害による適切な負荷を筋肉に与えることにより、筋肉自体の増強を図るものである。すなわち、筋肉の回復作用を利用して筋肉の増強を図るというものであり、運動時における骨格筋の運動出力を高めるものではなかった。
【００１０】
本発明は、運動時における骨格筋に直接働いて下肢の運動出力を高めることができる運動用装具を提供することを目的とする。
【課題を解決するための手段】
【００１１】
本発明は、シート状の材料を含み大腿部および下腿部の少なくともいずれか一方を覆うようにして下肢に固定される本体と、上記本体に取り付けられ、上記大腿部および上記下腿部の少なくともいずれか一方を圧迫する圧迫手段とから構成され、
上記大腿部および上記下腿部における圧迫圧力が、９０〜２００ｈＰａである運動用装具である。
【００１２】
上記圧迫圧力は好ましくは１００〜１９０ｈＰａ、より好ましくは１１０〜１８０ｈＰａである。
【００１３】
上記圧迫圧力は、上記圧迫手段単独で得られるものであってもよく、または上記圧迫手段と上記本体の両方で得られるものであってもよい。
【００１４】
本発明において、上記圧迫手段として、上記大腿部および／または上記下腿部に巻き付けられ上記大腿部および／または上記下腿部の筋肉を圧迫する圧迫ベルトを含むことができる。
【００１５】
また、上記圧迫ベルトは、大腿直筋の下部および／または腓腹筋の下部を圧迫するように構成することが好ましい。
【００１６】
また、上記圧迫ベルトは、上記大腿直筋および／または上記腓腹筋に接続されている筋腱移行部も圧迫するように構成することができる。
【００１７】
また、上記圧迫ベルトは、大腿部前面から大腿部背面に向けて先上がり、または下腿部背面から下腿部前面に向けて先上がりに傾斜した状態で巻き付けられるように構成することが好ましい。
【００１８】
また、上記圧迫ベルトの巻き付け位置よりも上方の上記本体に、上記大腿部または上記下腿部に巻き付けるための上部固定ベルトを備えることができ、さらに、上記圧迫ベルトの巻き付け位置よりも下方の上記本体に、上記大腿部または上記下腿部に巻き付けるための下部固定ベルトを備えることができる。
【００１９】
また、上記圧迫ベルトは面ファスナーによって上記本体に固定されるように構成することが好ましい。
【００２０】
本発明において、上記圧迫手段として、大腿直筋および腓腹筋の少なくともいずれか一方を圧迫する圧迫補助具を有することができる。
【００２１】
また、上記本体に上記圧迫補助具を収容するためのポケットを備えることができる。
【００２２】
また、上記圧迫補助具はくさび状部材から構成することができ、上記圧迫補助具は樹脂（発泡性樹脂を含む）を成形したものから構成することができる。
【発明の効果】
【００２３】
本発明の運動用装具によれば、運動時における骨格筋に直接働いてその運動出力を高めることができるという効果を有する。
【図面の簡単な説明】
【００２４】
【図１】(ａ)および(ｂ)は、骨格筋における縦走筋の種類を説明する模式図である。
【図２】(ａ)〜(ｃ)は、骨格筋における羽状筋の種類を説明する模式図である。
【図３】(ａ)および(ｂ)は羽状角と力伝達効率の関係を示す説明図である。
【図４】(ａ)および(ｂ)は羽状筋の圧迫方向を示す説明図である。
【図５】筋の外部への運動出力を計測する方法において電気刺激を説明するグラフである。
【図６】筋の運動出力の測定結果を示すグラフである。
【図７】(ａ)〜(ｆ)は本発明に係る運動用装具の第一形態を示す説明図である。
【図８】(ａ)〜(ｄ）は本発明に係る運動用装具の第二形態を示す説明図である。
【図９】(ａ)〜(ｃ)は本発明に係る運動用装具の第三形態を示す説明図である。
【図１０】(ａ)および(ｂ)は本発明に係る運動用装具の第四形態を示す説明図である。
【図１１】(ａ)〜(ｄ)は図１０に示す運動用装具の変形例を示す説明図である。
【図１２】(ａ)〜(ｃ)は本発明に係る運動用装具の第五形態を示す説明図である。
【図１３】(ａ)および(ｂ)は図１２に示した運動用装具の変形例を示す説明図である。
【図１４】(ａ)〜(ｄ)は運動用装具の第六形態を示す説明図である。
【図１５】(ａ)〜(ｃ)は、図１４に示す運動用装具の装着例を示す説明図である。
【図１６】図１４に示す運動用装具の効果を説明するグラフである。
【図１７】(ａ)〜(ｅ)は運動用装具の第七形態を示す説明図である。
【図１８】(ａ)〜(ｃ)は、図１７に示す運動用装具の装着例を示す説明図である。
【図１９】従来の加圧筋肉増強用衣服の使用方法を示す説明図である。
【図２０】図１９に示す加圧筋肉増強用衣服の装着状態を示す説明図である。
【発明を実施するための形態】
【００２５】
以下、図面に示した実施の形態に基づいて本発明を詳細に説明する。
【００２６】
本発明の運動用装具の構成について説明する前に、その運動用装具が装着される骨格筋のメカニズムについて説明する。
【００２７】
１．骨格筋のメカニズム
図１および図２に示すように、骨格筋はその形状によって縦走筋と羽状筋とに分類される。
【００２８】
縦走筋は、筋線維が筋と同じ方向に直線的に配列されている筋の総称であり、代表的な筋としては上腕二頭筋などの紡錘状筋（図１(ａ)参照）と縫工筋などの平行筋（図１(ｂ)参照）がある。
【００２９】
一方、大腿四頭筋、下腿三頭筋などの羽状筋は、筋線維が腱に対して斜めに配列されている鳥の羽のような筋であり、この羽状筋には、斜めに配列されている筋が片側のみにある単羽状筋（図２(ａ)参照）、斜めに配列されている筋が両側にある両羽状筋（図２(ｂ)参照）、斜めに配列されている多くの筋が横に並んで一つの筋を作っている多羽状筋（図２(ｃ)参照）がある。
【００３０】
上記紡錘状筋は大きな力は出せないものの収縮スピードが速いという性質があり、上記羽状筋は、収縮スピードは遅いものの大きな力を生み出すことができるという性質がある。
【００３１】
上記骨格筋が収縮することにより腱が引っ張られ、関節が屈曲したり伸展する。
【００３２】
紡錘状筋や平行筋は筋束と腱が平行であるため、筋の収縮する方向と腱が引っ張られる方向が同じであり、筋収縮力が損なわれることなく運動出力となる。
【００３３】
一方、羽状筋は、筋が収縮する方向と腱が引っ張られる方向に角度（羽状角）があるため、運動出力は筋収縮力よりも小さくなる。
【００３４】
この筋収縮力のロスを圧迫によって軽減すれば運動出力が高められることから、本発明では上記羽状筋に着目している。
【００３５】
１．１  羽状角と力伝達効率
図３(ａ)において、羽状筋が圧迫されていない状態での筋１が発揮した力をＦ、羽状角をθ１とすると、腱２方向の力成分はＦ×ｃｏｓθ１となる。すなわち、筋１から腱２への力伝達効率は羽状角によって決定される。
【００３６】
次に、図３(ｂ)に示すように、羽状筋が矢印Ｂ方向に圧迫され羽状角が小さくなると、腱２方向の力成分はＦ×ｃｏｓθ２となり、
Ｆ×ｃｏｓθ１＜Ｆ×ｃｏｓθ２
となるから、羽状筋を圧迫すると、羽状角がθ１の場合に比べ、筋１から腱２への力伝達効率の低下を抑制することができる。
【００３７】
このときの圧力は少なくとも２０ｈＰａ以上、好ましくは１００ｈＰａ以上である。
【００３８】
また、羽状筋を圧迫する方向は図４(ａ)に示すように、腱２に対して直交する方向（矢印Ｃ方向）から圧迫することができるが、好ましくは、図４(ｂ)に示すように腱２に対して斜め方向（矢印Ｄ方向）から圧迫することがより効果的である。
【００３９】
具体的には、圧迫対象が大腿部の場合、上記直交する方向から圧迫するとは、起立姿勢において、大腿四頭筋を水平方向から圧迫することであり、上記斜め方向から圧迫するとは大腿四頭筋を膝上から背面側に向けて斜め上方向に圧迫することである。
【００４０】
また、圧迫対象が下腿部の場合、上記直交する方向から圧迫するとは、張脛の真上から水平方向に圧迫することであり、上記斜め方向から圧迫するとは足首後側上方の部位から前側に向けて斜め上方向に圧迫することである。
【００４１】
従来のいわゆるコンプレッションウエアによる圧迫は、筋肉のサポートによるパフォーマンス低下を軽減するものであったり、姿勢を整えるためのものであったり、また、血流を促進させるものである。
【００４２】
これらは、あくまで筋肉のサポートに過ぎず、筋の外部への運動出力を向上させるものではなかった。そのため、圧迫の圧力はせいぜい３０ｈＰａ程度に留まっている。
【００４３】
また、テーピング効果のあるサポータ等は圧迫圧力を高めることはできるものの、その目的は関節や筋肉、腱の保護にあり、筋の運動出力を高める本発明とは目的を異にしている。
【００４４】
また、背景技術に示した筋肉を増強する加圧衣服についても、運動時において筋の運動出力を高めるものではない。
【００４５】
２．筋力の測定方法
次に、筋の運動出力を計測する方法について説明する。
【００４６】
電気刺激誘発による筋収縮法により、等尺性の膝関節伸展（大腿四頭筋）動作を対象として、筋収縮力を測定した。
【００４７】
刺激は２００μｓｅｃの矩形波を着座姿勢にある被検者の大腿部に送った。刺激用の電極取付け位置は、大腿部前側の上部と下部である。
【００４８】
刺激頻度は２０Ｈｚとし被検者の耐痛閾値以下の刺激強度を加えた。
【００４９】
また、(ａ)圧迫を加えない場合、(ｂ)手で大腿部を押し上げる方向に圧迫した場合、(ｃ)伸縮性の小さい帯状の生地で大腿部前側を押し上げる方向に圧迫した場合、(ｄ)伸縮性の小さい帯状の生地で大腿部前側を押し下げる方向に圧迫した場合の４パターンについて測定を行った。
【００５０】
圧迫する際の圧力は９０〜２００ｈＰａとし、圧力は、大腿部における大腿四頭筋と対応する部位に取り付けた複数の圧力センサによって測定した。
【００５１】
また、筋の運動出力の測定は、すね部と対向してそのすね部と接触するように配置した力センサによって膝関節が伸展する力を測定した。
【００５２】
図５は電気刺激を加える手順を示したグラフであり、横軸は時間（秒）、縦軸は電圧（Ｖ）を示している。
【００５３】
最大強度での筋活動後に筋力の運動出力が高まるという筋の性質を考慮した場合、筋の運動出力の条件を揃えることが必要となるため、最大筋力発揮後に上記(ａ)〜(ｄ)の各圧迫を加え、電気刺激を与える。図中、Ｐは最大筋力発揮後に与えた電気刺激を示している。
【００５４】
２．１  測定結果
図６は、上記測定方法によって得られた、被検者５名の運動出力の平均値を示したグラフであり、横軸は圧迫のパターン（ａ）〜（ｄ）、縦軸は運動出力（Ｎ）を示している。
【００５５】
同グラフに示すように、(ａ)圧迫を加えない場合に対し、(ｂ)手で大腿部を押し上げる方向に圧迫した場合および(ｃ)伸縮性の小さい帯状の生地で大腿部を押し上げる方向に圧迫した場合との間で、運動出力の明確な増加が認められた。
【００５６】
一方、(ｄ)伸縮性の小さい帯状の生地で大腿部を押し下げる方向に圧迫した場合には、逆に運動出力の低下が認められた。
【００５７】
３．運動用装具の構成
次に上記筋の運動出力を高めるための運動用装具の構成について説明する。
【００５８】
３．１  運動用装具の第一形態
図７は本発明に係る運動用装具の第一形態を示している。
【００５９】
同図(ａ)において、運動用装具１０は、大腿部Ｃに対し筒状に巻き付けることができるシート状材料を含んで構成された本体１１を有し、その本体１１の幅方向両端部の上部、中間部および下部に、本体１１を筒状に保形するための面ファスナー付き固定用帯片１２ａ，１２ｂおよび１２ｃがそれぞれ設けられている。
【００６０】
図７では展開できるシート状の本体１１を例示したが、例えば、丸編み機によって成形された継ぎ目の無い筒状に作製してもよい。
【００６１】
上記材料には伸縮性材料と非伸縮性材料が含まれる。伸縮性材料の具体例としては、発泡性樹脂（発泡ウレタン樹脂等）、シリコンゴムからなるシート、伸縮性のある織物、編物、不織布等が示され、非伸縮性材料の具体例としては伸縮性の無い織物、編物（トリコット）、樹脂等が示される。
【００６２】
本体１１の表面は、面ファスナーを貼り付けることができるように全体または一部が例えばパイル地等から構成されている。
【００６３】
また、運動用装具１０を大腿部Ｃに装着した状態において、本体１１の背面上部には、面ファスナー１４ａ付きの上部固定ベルト１４の中央部と面ファスナー１５ａ付きの圧迫ベルト１５の中央部１３ａとが重ねて縫合されており、本体１１の背面下部には、面ファスナー１６ａ付きの下部固定ベルト１６の中央部１３ｂが縫合されている。
【００６４】
上部固定ベルト１４は、大腿部Ｃの上部に対し水平方向に巻き付けられ、前側に向けて先下がりに配置された圧迫ベルト１５は大腿部Ｃに対し斜めに巻き付けられ、下部固定ベルト１６は大腿部Ｃの下部に対し水平方向に巻き付けられるようになっている。
【００６５】
これらのベルト１４〜１６は伸縮性または非伸縮性の生地からなり、その表面は、面ファスナーを貼り付けることができるように全体または一部が例えばパイル地等から構成されている。
【００６６】
ベルト１４〜１６は、大腿部Ｃを締め付けることができるようになっているが、特に、圧迫ベルト１５は、図４(ｂ)に示した方向と同じ方向から大腿直筋の羽状筋を圧迫するように構成されている。
【００６７】
すなわち、上記圧迫ベルト１５は、上記本体１１に対し縫合により支持され、大腿部を９０〜２００ｈＰａの圧力で圧迫する圧迫手段として機能する。
【００６８】
詳しくは、大腿四頭筋は大腿直筋、中間広筋、外側広筋、内側広筋とから構成されており、圧迫ベルト１５は大腿直筋を構成している羽状筋を斜め上方向（矢印Ｄ方向）に持ち上げながら締め付け、羽状筋の羽状角を効果的に小さくする。
【００６９】
それにより、大腿部が圧迫され、大腿四頭筋の外部への運動出力を高めることができる。
【００７０】
図７(ｂ)において、各ベルト１４〜１６の締め付け手順は、まず、上部固定ベルト１４を大腿部Ｃ上部まわりに水平方向に巻き付け、面ファスナー１４ａによって本体１１に固定する。
【００７１】
次に、圧迫ベルト１５を大腿部Ｃまわりに斜めに巻き付け、面ファスナー１５ａにより固定する。
【００７２】
次に、下部固定ベルト１６を大腿部Ｃ下部まわりに水平方向に巻き付けて面ファスナー１６ａにより本体１１に固定する。
【００７３】
なお、図７(ｃ)は運動用装具１０における各バンド１４〜１６を展開した状態を示し、図中、Ｙは大腿部Ｃに本体１１を巻き付けることによって生じた重ね合わせ線を示している。
【００７４】
また、図７(ｄ)は各バンド１４〜１６を締め付け固定した状態を示している。
【００７５】
また、図７(ａ)〜(ｆ)において、Ｍ１は固定用帯片１２ａ先端の固定位置を、Ｍ２（またはＭ４）は固定用帯片１２ｂ先端の固定位置を、Ｍ３は固定用帯片１２ｃ先端の固定位置をそれぞれ示している。
【００７６】
Ｍ５は９０ｈＰａの圧力ポイントを、Ｍ６は２００ｈＰａの圧力ポイントを示している。
【００７７】
上部固定ベルト１４を大腿部に巻き付け、その先端をＭ５に到達させ、下部固定ベルト１６をＭ７に到達させ、且つ圧迫ベルト１５先端を、斜めに付与された圧力ポイントＭ９（図７(ｅ)参照）に到達させれば、大腿部を９０ｈＰａの圧力で圧迫することができるようになっている。
【００７８】
また、上部固定ベルト１４を大腿部に巻き付け、その先端をＭ６に到達させ、下部固定ベルト１６をＭ８に到達させ、且つ圧迫ベルト１５先端を、斜めに付与された圧力ポイントＭ１０（Ｍ９の背面側に付与されている）に到達させれば、大腿部を２００ｈＰａの圧力で圧迫することができるようになっている。
【００７９】
なお、上記圧力ポイントはステッチ（かん止め）を入れることにより付与することができる。
【００８０】
また、以下に説明する各運動装具についても、上記した圧力ポイントを所望の部位に付与することにより、所望の圧力で圧迫することが可能になる。
【００８１】
３．２  運動用装具の第二形態
以下の説明において図７と同じ構成要素については同一符号を付してその説明を省略する。
【００８２】
図８(ａ)に示す運動用装具２０は、大腿部Ｃに対し筒状に巻き付けることができる大腿部巻付け部２０ａと、膝部Ｅおよびその下方を被覆する膝部被覆部２０ｂが一体に形成されており、大腿部巻付け部２０ａおよび膝部被覆部２０ｂは上記本体１１と同じ材質から構成されている。
【００８３】
上記運動用装具２０には、膝部被覆部２０ｂの前側に面ファスナー２２ａ付きのＵ字状の膝部ベルト２２が設けられている。なお、図中２２ｂは膝部ベルト２２における扇状の縫着部を示している。
【００８４】
上記運動用装具２０を装着する場合、まず、膝部被覆部２０ｂに下肢を通し、開口部２１ａから膝頭が露出するようにセットする。
【００８５】
次いで、大腿部Ｃに大腿部巻付け部２０ａを巻き付け、固定用帯片１２ａ〜１２ｃによって大腿部巻付け部２０ａを筒状に保形する。
【００８６】
次いで、図８(ｂ)に示すように、膝部ベルト２２の各端部を上方に持ち上げ面ファスナー２２ａで大腿部巻付け部２０ａの背面に固定する。
【００８７】
次いで、上部固定ベルト１４を大腿部Ｃ上部まわりに水平方向に巻き付けて面ファスナー１４ａで固定し、圧迫ベルト１５を大腿部Ｃまわりに斜めに巻き付けて面ファスナー１５ａで固定し、下部固定ベルト１６を大腿部Ｃ下部まわりに水平方向に巻き付けて面ファスナー１６ａで固定する。
【００８８】
大腿部Ｃに巻き付けられ固定された圧迫ベルト１５は、逢着された中央部１３ａを支点として矢印Ｄ方向の締め付け力を発揮する。
【００８９】
それにより、大腿部Ｃが圧迫され、大腿四頭筋の外部への運動出力を高めることができる。
【００９０】
また、膝部ベルト２２で膝部をサポートし、膝下部を斜め上方に引き上げることによって大腿部の筋収縮時の膝の動きをサポートし、運動出力をより高めることができる。
【００９１】
なお、図８(ｃ)は運動用装具２０における各バンド１４〜１６および２２を展開した状態を示し、図８(ｄ)は各バンド１４〜１６および２２を締め付け固定した状態を示している。
【００９２】
３．３  運動用装具の第三形態
図９(ａ)に示す運動用装具３０は、本体が伸縮性のあるパンツ型に構成されている。上記本体は、腰部を被覆する筒状の腰部被覆部３１ａと、大腿部に巻き付ける大腿部巻付け部３１ｂとが一体に形成されているものである。
【００９３】
腰部被覆部３１ａにおける背面上部には、面ファスナー３２ａ付きの腰部ベルト３２の中央部分３３（図９(ｂ)参照）が縫合されている。この腰部ベルト３２は前側に向けて先下がりに傾斜した状態で配置されている。
【００９４】
上記腰部ベルト３２の中央部分３３に重ねて、面ファスナー３４ａ付きの腰固定ベルト３４が水平方向に縫合されている。
【００９５】
上記運動用装具３０は、まず、腰部被覆部３１ａに腰を通す。
【００９６】
次いで、大腿部に大腿部巻付け部３１ｂを巻き付け、固定用帯片１２ａ〜１２ｃで固定する。
【００９７】
次いで、図９(ｂ)に示すように、腰部ベルト３２の各端部を腰のまわりに斜めに巻き付け、面ファスナー３２ａで固定する。
【００９８】
次いで、腰固定ベルト３４を腰まわりに水平に巻き付けて面ファスナー３４ａで固定する。
【００９９】
上記構成を有する運動用装具３０を装着すれば、より効果的に斜め上方に圧力を加えることができるという利点がある。
【０１００】
なお、図９(ｃ)において、運動用装具３０における左半分は、各バンド１４〜１６を展開した状態を示し、右半分はそれらのバンドを締め付け固定した状態を示している。
【０１０１】
また、図中Ｇは縫合部分を示し、Ｈは非縫合部分を示している。
【０１０２】
なお、図９に示した運動用装具３０に図８に示した運動用装具２０の膝部被覆部２０ｂを組み合わせ、面ファスナー２２ａ付きのＵ字状の膝部ベルト２２で膝の動きをサポートするようにしてもよい。
【０１０３】
３．４  運動用装具の第四形態
図１０(ａ)および(ｂ)に示す運動用装具５０は、伸縮性を有し大腿部を筒状に被覆し得る大腿部被覆部５０ａを有し、この大腿被覆部５０ａの前側には線状の補強部５０ｂが平行に形成されている。
【０１０４】
上記補強部５０ｂ，５０ｂの縦方向中央にはバックル５１ａおよび５１ｂが対向する状態で配置され、また、縦方向下部にもバックル５２ａおよび５２ｂが対向する状態で配置されている。
【０１０５】
また、各バックル５１ａ，５１ｂ，５２ａ，５２ｂを矢印方向に通すことができる圧迫ベルト５３が設けられ、この圧迫ベルト５３の各端部５３ａ，５３ａには面ファスナーが備えられ、運動用装具５０の本体５０ａ外面に固定することができるようになっている。
【０１０６】
上記運動用装具５０によれば、大腿部の下部から上部に向けて大腿直筋を締め上げることができる。
【０１０７】
図１１は上記運動用装具５０の変形例を示したものであり、同図(ａ)は側面図、同図(ｂ)は正面図である。
【０１０８】
同図に示す運動用装具５４は、大腿部の下部を固定する下部固定ベルト５５が追加されている。この下部固定ベルト５５の各先端部には面ファスナー５５ａ，５５ａが備えられている。
【０１０９】
詳しくは、両図に示す運動用装具５４では、図１０に示したバックル５２ａおよび５２ｂは備えられておらず、圧迫ベルト５３の折り返し部分は補強部５０ｂ，５０ｂに一旦、縫合され、その補強部５０ｂ，５０ｂからさらに延長される下部固定ベルト５５，５５は、バックル５６を介して左右に振り分けられ、本体５０ａの外面に対し面ファスナー５５ａ，５５ａによって固定されるようになっている。
【０１１０】
この構成によれば、大腿下部の固定力が増し、より効果的に圧を加えやすくなるという利点がある。
【０１１１】
また、図１１(ｃ)に示す側面図および同図(ｄ)に示す背面図おいて、Ｍ１０，Ｍ１１は圧迫ベルト５３先端の固定位置を示しており、Ｍ１０は９０ｈＰａの圧力ポイントを、Ｍ１１は２００ｈＰａの圧力ポイントを示している。
【０１１２】
また、Ｍ１２，Ｍ１３は下部固定ベルト５５先端の固定位置を示しており、Ｍ１２は９０ｈＰａの圧力ポイントを、Ｍ１３は２００ｈＰａの圧力ポイントを示している。
【０１１３】
３．５  運動用装具の第五形態
図１２(ａ)〜(ｃ)に示す運動用装具６０は、伸縮性を有し大腿部に巻き付けることができるシート状の大腿部巻付け部６０ａを有し、この大腿部巻付け部６０ａの幅方向端部には、上部、中間部および下部にそれぞれ固定用帯片１２ａ〜１２ｃが備えられている。
【０１１４】
この大腿被覆部６０ａの前側には圧迫補助具６１を挿入するためのポケット６０ｂが設けられている。
【０１１５】
上記ポケット６０ｂは大腿被覆部６０ａの外面に帯状の生地を重ねて縫合することによって形成されており、図中、６０ｃは縫合線を示している。
【０１１６】
また、上記ポケット６０ｂは下側が開口していればよく、上側は開口であってもよく、縫合されていてもよい。
【０１１７】
上記圧迫補助具６１としては、軽量で所望の強度が得られる硬質発泡ポリウレタン、硬質発泡ポリプロピレン等の発泡性樹脂をくさび状に成形したものを使用することができる。圧迫補助具６１としてくさび状成形品を使用する場合、くさび先端側を上向きにしてポケット６０ｂ内に挿入（矢印Ｆ方向参照）する。
【０１１８】
なお、上記圧迫補助具６１をくさび状に成形すれば、大腿筋を斜め上方向に圧迫し羽状筋を効果的に圧迫することができる。しかしながら、上記圧迫補助具６１は平板状であっても一定の圧迫効果を発揮することができる。
【０１１９】
図１３(ａ)および(ｂ)に示す運動用装具７０は、上記運動用装具６０の変形例を示したものである。
【０１２０】
両図に示す運動用装具７０は、大腿部巻付け部６０ａに、面ファスナー７１ａ付きの上部固定ベルト７１と、面ファスナー７２ａ付きの下部固定ベルト７２と、面ファスナー７３ａ付きの圧迫ベルト７３がさらに備えられている。
【０１２１】
上記上部固定ベルト７１はその中央部がポケット６０ｂの外面上部に縫合され、上記下部固定ベルト７２はその中央部がポケット６０ｂの外面下部に縫合され、上記圧迫ベルト７３は、その下部固定ベルト７２の縫合部分に共に縫合され、後側に向けて先上がりとなるように斜めに配置されている。
【０１２２】
この構成によれば、より固定力が増し効果的に圧力を加えやすくなるという利点がある。
【０１２３】
３．６  運動用装具の第六形態
図１４に示す運動用装具８０は下腿部に装着されるものであり、同図(ａ)は装具本体を正面から見た図、同図(ｂ)は側面から見た図、同図(ｃ)は背面から見た図、同図(ｄ)は装具本体に装着される圧迫ベルトである。
【０１２４】
これらの図において、運動用装具８０は、下腿部を挿通し得る筒状の装具本体８１を有している。
【０１２５】
この装具本体８１は、その上下両端部に設けられた伸縮性素材からなる伸縮部８１ａ、８１ｂと、装着時にふくらはぎ部分に位置し通気性を有するメッシュ部８１ｃと、そのメッシュ部８１ｃの下方から下腿部前側に向けて先上がりに延設されるクッション部８１ｄと、メッシュ部８１ｃの上方から下腿部前側に向けて先下がりに延設され、下腿部前側を覆って上記クッション部８１ｄと連絡している面ファスナー貼付け部８１ｅとをそれぞれ継ぎ合わせることによって構成されている。なお、メッシュ部８１ｃは伸縮部８１ａ、８１ｂで構成することもできる。
【０１２６】
装具本体８１の上下両端部は、上記したように伸縮性素材から構成されているため、下腿部を通した後、その下腿部の所望の位置に、取り外し可能に固定することができるようになっている。
【０１２７】
上記伸縮部８１ａ、８１ｂの材料としては、発泡性樹脂（発泡ウレタン樹脂等）、シリコンゴムからなるシート、伸縮性のある織物、編物、不織布等が例示される。
【０１２８】
上記クッション部８１ｄの材料としては、例えばネオプレンゴム等を使用することができる。
【０１２９】
また、上記面ファスナー貼付部８１ｅは、面ファスナーを貼り付けることができるように全体または一部が例えばパイル地等から構成されている。
【０１３０】
圧迫ベルト８２は、上記面ファスナー貼付部８１ｅに沿わせて装具本体８１に巻き付けるものであり、圧迫ベルト８２の両端部には面ファスナー貼付部８１ｅに貼り付けるための面ファスナー部８２ａが設けられている。
【０１３１】
上記圧迫ベルト８２は伸縮性を有することが好ましい。伸縮性があると筋肉や腱の動きが制限されず、動きやすく、しかも体に沿ってフィットさせることができるからである。一方、非伸縮性のものは、動きが制限されてしまい、また、体にフィットしにくいというデメリットがある。
【０１３２】
図１５は上記装具本体８１に圧迫ベルト８２を装着した状態を示したものであり、同図(ａ)は正面図、同図(ｂ)は側面図、同図(ｃ)は背面図である。
【０１３３】
装具本体１１のメッシュ部８１ｃがふくらはぎに位置するように、運動用装具８０を下腿部に固定し、圧迫ベルト８２の中央部に設けられた滑り止め部８２ｂを、クッション部８１ｄの後部に位置決めし（図１５(ｃ)参照）、斜め先上がりに形成されているそのクッション部８１ｄに沿わせて、圧迫ベルト８２を先上がりに配置し（図１５(ｂ)参照）、圧迫ベルト８２の各先端部をたすきがけにした後（図１５(ａ)参照）、それら各先端部に設けられている面ファスナー部８２ａ、８２ａと装具本体１１の面ファスナー貼付部８１ｅとを貼り合わせる。
【０１３４】
その際、圧迫ベルト８２の先端部を圧力ポイント８１ｆに到達させれば、圧迫ベルト８２は、下腿部を９０〜２００ｈＰａの圧力で圧迫する圧迫手段として機能する。それにより、下腿部を運動用装具８０で締め付けることができ、ふくらはぎ下部は矢印Ｉ方向に向けて圧迫され（図１５(ｂ)参照）、腓腹筋の羽状筋を効果的に圧迫すると同時に、腓腹筋と腱との接続部分である筋腱移行部を圧迫することができる。
【０１３５】
なお、圧力ポイント８１ｆを設けずに圧迫ベルト８２を自らの力で最大まで締め付ければ、１５０〜２００ｈＰａの圧力で下腿部を圧迫することができる。
【０１３６】
３．７  筋腱移行部の圧迫について
腱は、通常、たるみを有しているが、筋腱移行部を含む領域に圧迫を加えることによりそのたるみをなくすと、力の立ち上がりや腱スティッフネス（腱の単位長さ変化に対する力の大きさ）が高まることが本発明に関する研究において判明した。腱スティッフネスが高いと運動パフォーマンスを高めることができる。
【０１３７】
そこで、下腿部圧迫が腱スティッフネスに与える影響を調べた。
【０１３８】
図１６は筋腱移行部に圧迫を加えない場合と加えた場合とで腱スティッフネスを比較したグラフである。同グラフにおいて、横軸は安静時からの腱長さの変化（ｍｍ）を示し、縦軸は足関節底屈筋力（Ｎ）を示している。
【０１３９】
特性Ｐ１は、筋腱移行部に圧迫を加えない場合の腱長さ変化に対する足関節底屈筋力を示し、特性Ｐ２は、筋腱移行部に圧迫を加えた場合の腱長さ変化に対する足関節底屈筋力を示している。
【０１４０】
腱スティッフネスは、５０％ＭＶＣ（Maximum Voluntary Construction:最大随意筋力）以降の筋力−腱長さの関係から得られた回帰式の傾きによって表すことができる。
【０１４１】
同グラフにおいて、特性Ｐ１の回帰式はｙ＝４８６．６８ｘ−４４２５．３であり、特性Ｐ２の回帰式はｙ＝５５４．２１ｘ−２７３２．５である。すなわち、筋腱移行部に圧迫を加えると、腱スティッフネスが４８６．６８Ｎ／ｍｍから５５４．２１Ｎ／ｍｍに向上することが確認された。
【０１４２】
このことから、足関節底屈筋力は腱伸長量に比例して大きくなるが、同じ腱伸長量であっても筋腱移行部に圧迫を加えると、足関節底屈筋力を向上させることができ、腱スティッフネスが向上することが分かる。
【０１４３】
したがって、腓腹筋の羽状筋を圧迫すると同時に、腓腹筋と腱との接続部分である筋腱移行部を圧迫すれば、より高い運動パフォーマンスを得ることができる。
【０１４４】
３．８  運動用装具の第七形態
図１７に示す運動用装具９０も下腿部に装着されるものであり、同図(ａ)は装具本体を展開した図、同図(ｂ)は正面から見た図、同図(ｃ)は側面から見た図、同図(ｄ)は背面から見た図、同図(ｅ)は装具本体に装着される圧迫ベルトである。
【０１４５】
これらの図において、運動用装具９０は、ふくらはぎの下部に巻き付けるための帯状の装具本体９１を有し、この装具本体９１は上記装具本体８１の本体片と同様に伸縮性素材からなり、その外面全体がパイル地から構成され、一方端部９１ａの内面には装具本体９１の両端部を接続するための面ファスナー９１ｂが設けられている。
【０１４６】
上記装具本体９１の他方端部９１ｃ外面についてその任意の位置に面ファスナー９１ｂを貼り付けることにより、使用者の下腿部にフィットさせた状態で装具本体９１を固定することができるようになっている。
【０１４７】
また、装具本体９１外面の長手方向中央部には、後述する圧迫ベルト９３を通すための一対のバックル９２ａ、９２ｂが設けられている。
【０１４８】
一方、圧迫ベルト９３の一方端部９３ａの内面には面ファスナー９３ｂが設けられ、他方端部９３ｃの内面にも同じく面ファスナー９３ｄが設けられ、さらに、圧迫ベルト９３の中央部内面にも面ファスナー９３ｅが設けられている。
【０１４９】
下腿部に固定した装具本体９１の前側から後側に向けて圧迫ベルト９３を配置し、圧迫ベルト９３の一方端部９３ａをバックル９２ａに通して折り返し、面ファスナー９３ｂを装具本体９１の外面に貼り合わせ、また、装具本体９１の他方端部９３ｃをバックル９２ｂに通して折り返し、面ファスナー９３ｄを装具本体９１の外面に貼り合わせると、腓腹筋の羽状筋を効果的に圧迫すると同時に、腓腹筋と腱との接続部分である筋腱移行部も圧迫することができる。
【０１５０】
図１８は上記運動用装具９０を下腿部（図示しない）に装着した状態を示したものであり、同図(ａ)は正面図、同図(ｂ)は側面図、同図(ｃ)は背面図である。
【０１５１】
上記構成を有する運動用装具９０は、帯状の装具本体９１を対象部位に巻き付けて固定し、圧迫ベルト９３で圧迫するというシンプルな構成であるため、運動用装具９０の装着、取り外しが簡単に行え、しかも伸長、体格に左右されず装着することができ、下腿部を簡単に圧迫することができるという利点がある。
【０１５２】
なお、上記した運動用装具９０では圧迫の強度の目安となる目印は付けられていないため、使用する際に、圧迫ベルト９３を自らの力で最大まで締め付けることを前提としている。それにより、下腿部を圧迫する圧力が１５０〜２００ｈＰａになる。
【０１５３】
また、本発明の運動用装具は、上記実施形態では大腿部圧迫用と下腿部圧迫用とに分けてその構成を説明したが、大腿部と下腿部の両方を覆うことのできるパンツ状の本体を有し、その本体の大腿部側に上記第一形態から第五形態の運動用装具を備え、本体の下腿部側に上記第六形態から第七形態の運動用装具を備えることもできる。
【符号の説明】
【０１５４】
１    筋
２    腱
１０    運動用装具
１１    本体
１２ａ〜１２ｃ  固定用帯片
１３ａ，１３ｂ  中央部
１４ａ  面ファスナー
１４    上部固定ベルト
１５ａ  面ファスナー
１５    圧迫ベルト（圧迫手段）
１６ａ  面ファスナー
１６    下部固定ベルト
【図１】
0005555205.tif 000002
【図２】
0005555205.tif 000003
【図３】
0005555205.tif 000004
【図４】
0005555205.tif 000005
【図５】
0005555205.tif 000006
【図６】
0005555205.tif 000007
【図１４】
0005555205.tif 000008
【図１５】
0005555205.tif 000009
【図１６】
0005555205.tif 000010
【図１９】
0005555205.tif 000011
【図２０】
0005555205.tif 000012
【図７】
0005555205.tif 000013
【図８】
0005555205.tif 000014
【図９】
0005555205.tif 000015
【図１０】
0005555205.tif 000016
【図１１】
0005555205.tif 000017
【図１２】
0005555205.tif 000018
【図１３】
0005555205.tif 000019
【図１７】
0005555205.tif 000020
【図１８】
0005555205.tif 000021